(57)【特許請求の範囲】
【請求項１】
主桁の上面に固定された地覆材に支持される仮設足場ユニットであって、
前記地覆材に取り付けられた複数のブラケットと、
前記複数のブラケット上に敷設された足場板と、
前記複数のブラケットの先端部に横架された手すりと、を有し、
前記地覆材が、上下一対のフランジと当該両フランジをつなぐウェブとを備える鋼材からなり、
前記ブラケットは、前記地覆材の外側面に沿うように前記主桁上に立設された縦材と、前記縦材の上端から前記地覆材の反対側に延設された横材と、前記地覆材の上部に係止される係止部材と、前記地覆材の前記ブラケット側の側面に当接する当接部材と、を備えていて、
前記係止部材には、前記ウェブの前記ブラケットと反対側の側面を転動する第一ローラーが設けられており、
前記当接部材は、前記ウェブの前記ブラケット側の側面を転動する第二ローラーであり、
前記縦材の下端には、前記主桁の上面を転動する第四ローラーが設けられており、
前記ブラケットが、前記地覆材の長手方向に沿ってスライド可能であることを特徴とする、仮設足場ユニット。
【請求項２】
前記係止部材には、上側の前記フランジの上面を転動する第三ローラーが設けられていることを特徴とする、請求項１に記載の仮設足場ユニット。
【請求項３】
主桁と、
前記主桁の上面に敷設された覆工板と、
前記覆工板の端部に沿って前記主桁の上面に敷設された地覆材と、
前記地覆材に取り付けられて前記主桁の側方に張り出す仮設足場ユニットと、を備える仮桟橋であって、
前記地覆材が、上下一対のフランジと、ウェブとを備えた断面コ字状の鋼材からなり、
前記仮設足場ユニットが、ウェブの一方の側面を走行する第一ローラーと、前記ウェブの他方の側面を走行する第二ローラーと、を有するブラケットを備えていて、移動可能であることを特徴とする仮桟橋。
【発明の詳細な説明】
【技術分野】
【０００１】
本発明は、仮設足場ユニットおよび仮桟橋に関する。
【背景技術】
【０００２】
仮設構造物の仮桟橋は、一般的に６〜７ｍ程度の幅に設計されている。
仮桟橋の施工方法には、一方の岸から対岸方向に沿って仮桟橋を伸ばしていく、送り出し工法がある。
【０００３】
送り出し工法では、ラフタークレーンやクローラークレーン等を仮桟橋の既設部分に据え付けた状態で施工を行うが、狭隘な仮桟橋等では、ラフタークレーン等の横に作業通路を確保できない場合がある。
【０００４】
そのため、狭隘な仮桟橋等において作業通路を確保するには、例えば、受桁を仮桟橋の側方に張り出させて、この張出部分に通路用の主桁を敷設する方法や、主桁等にブラケットを固定する方法等が考えられる。
また、特許文献１には、既設の橋梁の高欄を利用して、橋梁の側方に張り出し吊下される作業足場を設ける工法が開示されている。
【先行技術文献】
【特許文献】
【０００５】
【特許文献１】特開２００１−１７２９２０公報
【発明の概要】
【発明が解決しようとする課題】
【０００６】
受桁を張り出す方法は、実質的に仮桟橋の幅寸法を大きくすることとなり、鋼材量が増加するとともに、施工時の手間が増加してしまう。
また、ブラケットを固定する方法では、仮桟橋の全長にわたって作業通路を常時形成することになるが、実質的に仮桟橋の幅を大きくすることになるため、合理的とは言えなかった。
さらに、特許文献１の工法は、既設の橋梁に適用するものであり、仮桟橋に適用することはできなかった。
【０００７】
このような観点から、本発明は、合理的に通路を確保することが可能な仮設足場ユニットおよび仮桟橋を提案することを課題とする。
【課題を解決するための手段】
【０００８】
前記課題を解決するために、本発明の仮設足場ユニットは、主桁の上面に固定された地覆材に支持されるものであって、前記地覆材に取り付けられた複数のブラケットと、前記複数のブラケット上に敷設された足場板と、前記複数のブラケットの先端部に横架された手すりとを有し、前記地覆材が、上下一対のフランジと当該両フランジをつなぐウェブとを備える鋼材からなり、前記ブラケットは、前記地覆材の外側面に沿うように前記主桁上に立設された縦材と、前記縦材の上端から前記地覆材の反対側に延設された横材と、前記地覆材の上部に係止される係止部材と、前記地覆材の前記ブラケット側の側面に当接する当接部材とを備えていて、前記係止部材には、前記ウェブの前記ブラケットと反対側の側面を転動する第一ローラーが設けられており、前記当接部材は、前記ウェブの前記ブラケット側の側面を転動する第二ローラーであり、前記縦材の下端には、前記主桁の上面を転動する第四ローラーが設けられており、前記ブラケットが前記地覆材の長手方向に沿ってスライド可能あることを特徴としている。
【０００９】
かかる仮設足場ユニットによれば、施工時の進捗状況に応じて、適宜移動させることができるため、合理的である。すなわち、スライド可能または着脱可能なように地覆材に係止されたブラケットにより支持しているため、移動が容易である。
なお、本発明に係る仮設足場ユニットは、覆工板の端部に沿って地覆材が設けられた構造物であれば設置可能であるため、仮桟橋に限らず、例えば作業構台等に使用してもよい。
【００１０】
前記地覆材が上下一対のフランジと当該両フランジをつなぐウェブとを備える鋼材からなり、、前記係止部材に、前記ウェブの前記ブラケットと反対側の側面を転動する第一ローラーを設け、前記ウェブの前記ブラケット側の側面を転動する第二ローラーを前記当接部材としているため、ブラケットを地覆材に沿って走行させることが可能となり、クレーンを使用せずとも仮設足場ユニットの移動を簡易に行うことができる。
【００１１】
さらに、前記係止部材に前記上側のフランジの上面を転動する第三ローラーが設けられていれば、より簡易に仮設足場ユニットを移動させることができる。
【００１４】
また、本発明の仮桟橋は、主桁と、前記主桁の上面に敷設された覆工板と、前記覆工板の端部に沿って前記主桁の上面に敷設された地覆材と、前記地覆材に取り付けられて前記主桁の側方に張り出す仮設足場ユニットとを備えるものであって、前記地覆材が、上下一対のフランジと、ウェブとを備えた断面コ字状の鋼材からなり、前記仮設足場ユニットが、ウェブの一方の側面を走行する第一ローラーと、前記ウェブの他方の側面を走行する第二ローラーと、を有するブラケットを備えていて、移動可能であることを特徴としている。
【００１５】
かかる仮桟橋によれば、仮桟橋の施工時の進捗状況や、仮桟橋の利用状況に応じて仮設足場ユニットを移動させることで、必要な位置に必要な通路を確保することができるので、合理的である。
【００１６】
また、前記地覆材が、上下一対のフランジと、ウェブとを備えた断面コ字状の鋼材からなり、前記仮設足場ユニットがウェブの一方の側面を走行する第一ローラーと、前記ウェブの他方の側面を走行する第二ローラーとを有しているため、仮設足場ユニットの移動が容易となる。
【発明の効果】
【００１７】
本発明の仮設足場ユニットおよび仮桟橋によれば、合理的に通路を確保することが可能となる。
【図面の簡単な説明】
【００１８】
【図１】本発明の実施形態に係る仮桟橋を示す平面図である。
【図２】（ａ）は図１の仮桟橋に設置された仮設足場ユニットの横断面図、（ｂ）は同仮設足場ユニットの側面図である。
【発明を実施するための形態】
【００１９】
本実施形態では、手延べ式送り出し工法により構築する仮桟橋１について説明する。
本実施形態の仮桟橋１は、図１に示すように、主桁２と、覆工板３と、地覆材４と、仮設足場ユニット５とを備えている。
【００２０】
仮桟橋１は、岸あるいは仮桟橋１の既設部分に設置された図示しない重機を利用して、一方の岸から対岸に向けて主桁２や覆工板３等を送り出す（延長する）ことにより形成する。
仮桟橋１の既設部分に重機を据え付ける際には、図２の（ａ）に示すように、重機の据え付け位置に沿って、仮設足場ユニット５が仮桟橋１に設置される。
【００２１】
主桁２は、図１に示すように、仮桟橋１の軸方向に沿って架設する。
本実施形態では、４本の主桁２，２，…を等間隔で並設しているが、主桁２の本数は限定されない。本実施形態では、主桁２の中心線同士の間隔が、覆工板３の長手方向の長さと同一となるようにしている。
【００２２】
本実施形態の主桁２は、図２の（ａ）に示すように、上下一対のフランジ２１，２１と、当該両フランジ２１，２１をつなぐウェブ２２とを備えるＩ形鋼により構成されている。主桁２は、一方の岸から対岸に向かってＩ形鋼を随時連結することにより架設する。
なお、主桁２を構成する材料はＩ形鋼に限定されるものではなく、例えば、Ｈ形鋼や溝型鋼であってもよい。
【００２３】
覆工板３は、平面視長方形の板状部材であって、図１および図２の（ａ）に示すように、主桁２の上面に敷設する。
本実施形態では、隣り合う主桁２同士の間に、覆工板３を横架する。覆工板３の長手方向は仮桟橋１の軸方向と直交する方向である。また、覆工板３は、主桁２の軸方向に沿って、連続するように敷設する。複数の覆工板３を隙間なく配設することで、複数の主桁２，２，…の上面に作業床を形成している。
【００２４】
本実施形態では、左右（仮桟橋１の軸方向と直交する方向）に隣り合う覆工板３同士の突き合わせ面が、主桁２のウェブ２２（主桁２の中心線）の延長線上となるように、覆工板３を敷設している。
覆工板３は、必要に応じて治具等を利用して主桁２に固定する。
なお、覆工板３は、仮桟橋１の構築時および使用時に必要な耐力を有するものであればよい。
【００２５】
地覆材４は、仮桟橋１の軸方向に沿って、仮桟橋１の左右の縁部（端部）に配設されている。本実施形態では、４本の主桁２のうちの外側に配設された２本の主桁２のそれぞれの上面に地覆材４を敷設している。すなわち地覆材４は、覆工板３の端部に沿って敷設されている。
【００２６】
本実施形態の地覆材４は、図２の（ａ）に示すように、上下一対のフランジ４１，４１と当該両フランジ４１，４１をつなぐウェブ４２とを備える断面コ字状の鋼材からなる。
なお、地覆材４を構成する材料は限定されるものではなく、例えばＨ形鋼やＬ形鋼等であってもよい。
【００２７】
地覆材４は、フランジ４１，４１がウェブ４２から覆工板３の反対側に向かって貼り出すように主桁２の上面に上載するとともに、主桁２に固定する。なお、地覆材４の主桁２への固定方法は限定されるものではなく、例えば、クランプ等の治具で主桁２のフランジ２１と地覆材４のフランジ４１とを挟持して固定してもよいし、ボルト接合してもよい。
【００２８】
図２の（ａ）に示すように、本実施形態では、地覆材４のウェブ４２の側面と覆工板３の端面との突き合わせ面が、主桁２のウェブ２２（主桁２の中心線）の延長線上に位置している。
【００２９】
地覆材４の下側のフランジ４１の先端（ウェブ４２と反対側の端部）は、主桁２の上側のフランジ２１の先端よりも内側（ウェブ４２側）に位置していて、主桁２の上側のフランジ２１の上面の一部（覆工板３と反対側の端部）が露出するように構成されている。
【００３０】
仮設足場ユニット５は、図２の（ａ）に示すように、主桁２の側方に張り出すように地覆材４に取り付ける。
仮設足場ユニット５は、地覆材４に沿って移動可能である。
【００３１】
本実施係他の仮設足場ユニット５は、ブラケット５１（支持部材）と、足場板５２と、手すり５３とを有している。
図２の（ｂ）に示すように、本実施形態では、地覆材３に軸方向に沿って４つのブラケット５１，５１，…が設けられているが、ブラケット５１の数は２つ以上であれば限定されない。
【００３２】
本実施形態のブラケット５１は、鋼材（例えば山形鋼）を組み合わせることにより形成されている。
ブラケット５１は、地覆材４の外側面（上下のフランジ４１，４１の先端）に沿うように主桁２上に立設された縦材５１ａと、縦材５１ａの上端から地覆材４の反対側に延設された横材５１ｂと、縦材５１ａの下端と横材５１ｂの先端とをつなぐ斜材５１ｃとにより、直角三角形状に形成されている。
なお、ブラケット５１を構成する材料やブラケット５１の形状は限定されない。
【００３３】
ブラケット５１の基端部（縦材５１ａ）には、地覆材４の上部に係止される係止部材５４と、地覆材４のウェブ４２のブラケット５１側の側面に当接する当接部材５５とを備えている。
【００３４】
係止部材５４は、地覆材４の上側のフランジ４１の上面とウェブ４２の覆工板３側の側面との角部に係止することが可能となるように、Ｌ字状に形成されている。
係止部材５４には、ウェブ４２の覆工板３側の側面（ブラケット５１と反対側の側面）を転動する第一ローラー５６と、フランジ４１の上面を転動する第三ローラー５７とが設けられている。
【００３５】
第一ローラー５６は、ジャッキを介して係止部材５４に設置されていて、地覆材４のウェブ４１の張り出し方向（仮桟橋１の軸方向と直交する方向）に進退可能に設けられている。
第一ローラー５６がジャッキにより進出することで、ウェブ４１との当接状態が維持されるため、ブラケット５１の転倒を防止することができる。
【００３６】
また、ブラケット５１の縦材５１ａの下端には、主桁２の上側のフランジ２１の上面を転動する第四ローラー５８が設けられている。
なお、本実施形態の当接部材５５は、地覆材４のウェブ４２の側面を転動する第二ローラーである。
【００３７】
すなわち、本実施形態のブラケット５１は、第一ローラー５６、当接部材（第二ローラー）５５、第三ローラー５７および第四ローラー５８により、地覆材４の長手方向に沿ってスライド可能に構成されている。
【００３８】
足場板５２は、複数のブラケット５１の横材５１ｂの上面に上載されている。本実施形態では、４つのブラケット５１に跨って１枚の足場板５２を横架するが、足場板５２は、仮設足場ユニット５の大きさに応じて、仮桟橋１の軸方向に沿って複数枚連続して配置してもよい。
【００３９】
本実施形態では、図２の（ａ）に示すように、３枚の足場板５２，５２，５２が横材５１ｂの長手方向（仮桟橋１の軸方向と直交する方向）に沿って並設されている。なお、足場板５２の数は限定されない。また、足場板５２を構成する材料は限定されるものではなく、例えば、エキスパンドメタル等を使用すればよい。
足場板５２は、隣り合う足場板５２同士の間に隙間が生じないように設置する。また、足場板５２は、必要に応じてブラケット５１に固定する。
【００４０】
手すり５３は、複数のブラケット５１，５１，…の先端部に設置されている。
手すり５３は、ブラケット５１の先端部に立設された支柱５３ａに、手すり棒５３ｂを横架することにより形成されている。なお、手すり５３の構成は限定されない。
【００４１】
仮設足場ユニット５は、軸方向両端部に設けられたストッパ用治具５９，５９により地覆材４に拘束される。すなわち、仮設足場ユニット５は、ストッパ用治具５９によって地覆材４に沿った移動が防止され、ストッパ用治具５９を取り外すと、地覆材４に沿って移動することが可能となる。
【００４２】
本実施形態の仮桟橋１によれば、仮設足場ユニット５がスライド可能に設けられているため、仮桟橋１の施工の進捗状況に応じて、所望の位置に仮設足場を設けることができる。そのため、仮桟橋１の施工を簡易に行うことができる。
【００４３】
仮設足場ユニット５は、人力やウインチ等を利用して容易に移動させることができるため、重機等により揚重する場合に比べて、容易かつ安価に施工を行うことができる。
仮設足場ユニット５を、解体することなく移動させることで、施工時の手間を省略することができる。
【００４４】
また、仮設足場ユニット５は、ユニット化された部材を組み立てることにより形成するため、設置が容易であり、また、転用することも可能である。
さらに、ユニット化された部材を組み合わせることにより形成されているため、信頼性の高い仮設足場を形成することができる。
【００４５】
以上、本発明に係る実施形態について説明した。しかし、本発明は、前述の実施形態に限られず、前記の各構成要素については、本発明の趣旨を逸脱しない範囲で、適宜変更が可能である。
前記実施形態では、仮桟橋について説明したが、本発明の仮設足場ユニットの使用は、仮桟橋の施工に限定されるものではなく、例えば、仮設作業台であってもよい。
【００４６】
前記実施形態では、ブラケットが地覆材の長手方向に沿ってスライド可能である場合について説明したが、ローラー（第一ローラー〜第四ローラー）は必要に応じて設置すればよく、省略してもよい。すなわち、ブラケットは、必ずしもスライド可能である必要はなく、地覆材に対して着脱可能であってもよい。
【００４７】
また、前記実施形態では、ブラケットが第一ローラー、第二ローラー、第三ローラーおよび第四ローラーを有している場合について説明したが、ブラケットに設けられるローラーの数は限定されるものではなく、例えば、第一ローラーと第二ローラーの２つのローラーのみを有していてもよい。
【００４８】
また、前記実施形態では、ブラケットが地覆材に取り付けられている（係止されている）場合について説明したが、ブラケットを取り付ける部材は、仮桟橋の端部に設けられた部材であれば地覆材に限定されない。
また、仮設足場ユニットの支持部材はブラケットに限定されるものではない。
【符号の説明】
【００４９】
１    仮桟橋
２    主桁
３    覆工板
４    地覆材
４１  フランジ
４２  ウェブ
５    仮設足場ユニット
５１  ブラケット（支持部材）
５２  足場板
５３  手すり
５４  係止部材
５５  当接部材（第二ローラー）
５６  第一ローラー
５７  第三ローラー
【図１】
0006460682.tif 000002
【図２】
0006460682.tif 000003